(57)【要約】  【課題】  重ね合わされる羽根部材同士の干渉を防ぎ、羽根部材の滑らかな開閉動作を実現できる光路開閉装置、及び、そのような光路開閉装置を備えた撮像装置を提供する。  【解決手段】  光路開閉装置１は、その回動に伴って光路開口を開閉するフィルム状の組み合わせ羽根１０、及び、組み合わせ羽根１０を挟持する一対の地板Ａ３０、地板Ｂ５０を備える。組み合わせ羽根中には、開限においては重なり合わず、閉動作中に重なり合う一対の羽根（Ｘ羽根、Ｙ羽根）が存在する。地板Ａ３０には、Ｙ羽根をＸ羽根に対して相対的に浮かせておいてＸ羽根がＹ羽根の下面に入るようにするための、Ｙ羽根面を支持する長い凸条３７が形成されている。羽根部材１１は長い凸条３７で広範囲にわたって持ち上げるように支持するため、Ｘ羽根の端がＹ羽根の端にぶつかって羽根同士が干渉するような事態を避けることができる。【選択図】  図１
2007192860.tif 000002
【特許請求の範囲】
【請求項１】
支点及びカム溝を有し、その回動に伴って光路開口を開閉するフィルム状の組み合わせ羽根、及び、該組み合わせ羽根を挟持する一対の地板を備える光路開閉装置であって、
前記組み合わせ羽根中に、開限においては重なり合わず、閉動作中に重なり合う一対の羽根（Ｘ羽根、Ｙ羽根）が存在し、
Ｙ羽根をＸ羽根に対して相対的に浮かせておいてＸ羽根がＹ羽根の下面に入るようにするための、Ｙ羽根面を支持する長い凸条が前記地板に形成されていることを特徴とする光路開閉装置。
【請求項２】
前記組み合わせ羽根の中の複数の羽根が、該羽根の回動方向において上から下へ重ねられて前記凸条上に支持されていることを特徴とする請求項１記載の光路開閉装置。
【請求項３】
前記一対の地板の各々に前記凸条が形成されていることを特徴とする請求項１記載の光路開閉装置。
【請求項４】
前記一対の地板に形成されている凸条が、光軸に対して対称に形成されていることを特徴とする請求項３記載の光路開閉装置。
【請求項５】
光路開口を開閉する光路開閉機構を備えた撮像装置であって、
前記光路開閉機構は、
支点及びカム溝を有し、その回動に伴って光路開口を開閉するフィルム状の組み合わせ羽根、及び、該組み合わせ羽根を挟持する一対の地板を備える光路開閉装置であって、
前記組み合わせ羽根中に、開限においては重なり合わず、閉動作中に重なり合う一対の羽根（Ｘ羽根、Ｙ羽根）が存在し、
Ｙ羽根をＸ羽根に対して相対的に浮かせておいてＸ羽根がＹ羽根の下面に入るようにするための、Ｙ羽根面を支持する長い凸条が前記地板に形成されていることを特徴とする撮像装置。
【発明の詳細な説明】
【技術分野】
【０００１】
本発明は、光学機器の絞りやシャッター等の光路開口を開閉する光路開閉装置及びそれを備えた撮像装置に関する。特には、複数枚の羽根部材を有する光路開閉装置において、羽根部材同士の干渉を防いで羽根部材の滑らかな開閉動作を実現できる光路開閉装置等に関する。
【背景技術】
【０００２】
ビデオカメラやスチルカメラ等の撮像装置には、フォーカス制御やズーミングのための各種のレンズを光軸方向へ移動させるレンズ移動機構と、光量調節用の光路開閉機構（装置）が備えられている。光路開閉装置には、複数の羽根部材が組み合わされて、各羽根部材の回動に伴って光路開口を開閉するタイプのものがある。
【０００３】
図９は、光路開閉装置の対向する１対の羽根部材対の動きの一例を説明するための正面図であり、図９（Ａ）は光路開口開時、図９（Ｂ）は開閉動作途中、図９（Ｃ）は光路開口閉時を示す。
図１０は、光路開閉装置の対向する２対の羽根部材対の動きの一例を説明するための正面図であり、図１０（Ａ）は開閉動作途中、図１０（Ｂ）は図１０（Ａ）の羽根部材のみを示す図である。
この光路開閉装置１０１は、回動に伴って光路を開閉する、複数（この例では６枚、図には光軸を挟んで対向する一対（２枚）または二対（４枚）の羽根部材のみを示す）の羽根部材１１１からなる組み合わせ羽根と、光軸ＯＡを中心に回動する風車１２０と、組み合わせ羽根を保持する地板１３０と、から主に構成されている。
【０００４】
各羽根部材１１１は、地板１３０の摺動面１３３上に支持されているとともに、風車１２０に植設された支点ピン１２１に回動可能に支持されている。また、各羽根部材１１１には、カム溝１１７が形成されている。このカム溝１１７は、地板１３０に植設されたカムピン１３５が係合し、カムピン１３５はカム溝１１７内をスライドする。風車１２０の外周部の一部には、ラック１２７が切られている。ラック１２７は、ピニオン１６３に噛み合っており、同ピニオン１６３は減速機を介してモータで回転駆動される。
【０００５】
モータによってピニオン１６３が回転すると、同ピニオン１６３に噛み合うラック１２７が形成された風車１２０が光軸ＯＡの周りを回転する。すると、風車１２０の各支点ピン１２１に回動可能に支持されている羽根部材１１１も旋回する。このとき、羽根部材１１１のカム溝１１７の縁が地板１３０に植設されているカムピン１３５に押され、カム溝１１７がカムピン１３５に沿って進み出す。すると、羽根部材１１１は支点ピン１２１を中心として回動し始め、地板１３０の光路開口１３１内に侵入する。そして、各羽根部材１１１の縁によって開閉自在な絞り開口が形成される。
【０００６】
このような光路開閉装置においては、全ての羽根部材１１１は地板１３０の水平な摺動面１３３上に載置されて、一般には、１枚の羽根部材が回動方向前方の他の羽根部材の上面に乗り上げるように、互いに重ねられている。そして、この状態を維持して開放動作及び閉鎖動作が行われる。
【０００７】
羽根部材１１１は通常フィルム状の薄く軽量な部材で、剛性が低く様々な方向に撓み・ネジレやすい性質をもつ。また、重なり方向において上下からきっちりと挟持されて保持されているわけではないため、光路開閉装置１０１の姿勢や装置に加わる衝撃等により、羽根部材１１１の回動方向先端部の、互いの位置関係が乱れることがある。このような位置関係の乱れによっては、図９に示す光軸に対して対向する一対の羽根部材１１１Ｘ、１１１Ｙを考えると、閉動作中に、図９（Ｂ）に示すように、回動方向前方の羽根部材に乗り上げるべき羽根部材１１１Ｙの回動方向先端部が他方の羽根部材１１１Ｘの下面に潜り込むことがある。すると、図９（Ｃ）に示すように、一方の羽根部材１１１Ｘの縁が他方の羽根部材１１１Ｙの縁にぶつかってそれ以上回動しないというような動作不良をまねくおそれがある。
【０００８】
また、図１０に示すように、羽根部材１１１Ｘ´の先端部が上方に反って、本来下に潜り込むべき羽根部材１１１Ｙ´の上面に乗り上げるというような事態となる場合もある。さらに、１枚の羽根部材の先端が羽根部材間の様々なスキマに入り込んで、各羽根部材の回動が妨げられたり、各羽根部材が一様な動きをしなくなる。
これらの結果、各羽根部材の開口形成縁によって開口が安定に形成されなくなる。
【０００９】
そこで、絞り羽根同士を当接しないような改良が施された光路開閉装置が提案されている（例えば、特許文献１参照）。この光路開閉装置では、絞り枠に凸部を形成し、重なり合う一対の絞り羽根の一方の絞り羽根を凸部上に乗り上げさせて支持するとともに、他方の絞り羽根を凸部の周面を案内面として前記の絞り羽根と絞り枠の間に進入させている。このため、絞り羽根同士が当接することがなく、絞り羽根の開閉動作を滑らかにすることができるとされている。
【００１０】
しかしながら、この光路開閉装置においては、各絞り羽根を点状の凸部で支持しているので、装置の姿勢によっては、絞り羽根が傾いて斜めになり、絞り羽根が相互に平行に位置しない場合もありうる。すると、絞り羽根が互い干渉して開閉動作を妨げるような場合も起こり得る。
【００１１】
【特許文献１】特許第３６７１４９１号
【発明の開示】
【発明が解決しようとする課題】
【００１２】
本発明は上記の問題点に鑑みてなされたものであって、重ね合わされる羽根部材同士の干渉を防ぎ、羽根部材の滑らかな開閉動作を実現できる光路開閉装置、及び、そのような光路開閉装置を備えた撮像装置を提供することを目的とする。
【課題を解決するための手段】
【００１３】
本発明の光路開閉装置は、  支点及びカム溝を有し、その回動に伴って光路開口を開閉するフィルム状の組み合わせ羽根、及び、該組み合わせ羽根を挟持する一対の地板を備える光路開閉装置であって、  前記組み合わせ羽根中に、開限においては重なり合わず、閉動作中に重なり合う一対の羽根（Ｘ羽根、Ｙ羽根）が存在し、  Ｙ羽根をＸ羽根に対して相対的に浮かせておいてＸ羽根がＹ羽根の下面に入るようにするための、Ｙ羽根面を支持する長い凸条が前記地板に形成されていることを特徴とする。
【００１４】
本発明によれば、羽根を長い凸条で広範囲にわたって持ち上げるように支持するため、軽量で撓みやすい性質の樹脂フィルム製の羽根を使用しても、羽根が傾いたりねじれたりせずに羽根を浮かせることができる。つまり、Ｙ羽根を地板面に対してほぼ平行に浮かして支持し、Ｘ羽根をＹ羽根の下面と地板面との間に滑り込ませることができるため、開閉動作中に、Ｘ羽根の端がＹ羽根の端にぶつかって羽根同士が干渉するような事態を避けることができる。このため、各羽根を滑らかに開閉動作させることができ、スムーズな開閉動作を得ることができる。また、樹脂フィルム製の羽根を使用できるため、装置のコスト低下につながる。
【００１５】
本発明においては、  前記組み合わせ羽根の中の複数の羽根が、該羽根の回動方向において上から下へ重ねられて前記凸条上に支持されていることが好ましい。
【００１６】
本発明によれば、複数の羽根を、回動方向において上から下へに重ね、上から何枚かの羽根を凸条に乗るように配置し、残りの羽根は凸条に乗らないように配置することができる。このようにすることにより、凸条に乗っていない羽根は、凸条に乗った羽根の下面に入り込みやすく、同時に、閉動作中に重なり合う一対の羽根において、凸条に乗っていない羽根が、凸条に乗った羽根の下面に入り込む。このように各羽根の回動面が側面において交差しないように各羽根を配置できるので、各羽根を重なったりぶつかったりせずに、滑らかに動作させることができる。
【００１７】
本発明においては、  前記一対の地板の各々に前記凸条が形成されていることが好ましい。
この場合、  前記一対の地板に形成されている凸条が、光軸に対して対称に形成されていることがさらに好ましい。
【００１８】
本発明によれば、組み合わせ羽根の何枚かの羽根を上（一方）へ寄せ、他方の何枚かを下（他方）へ寄せる。そのため、光路開閉装置の天地が逆になった場合も、各羽根を上述のように干渉しないように開閉動作させることができる。
【００１９】
本発明の撮像装置は、  光路開口を開閉する光路開閉機構を備えた撮像装置であって、  前記光路開閉機構は、  支点及びカム溝を有し、その回動に伴って光路開口を開閉するフィルム状の組み合わせ羽根、及び、該組み合わせ羽根を挟持する一対の地板を備える光路開閉装置であって、  前記組み合わせ羽根に、開限においては重なり合わず、閉動作中に重なり合う一対の羽根（Ｘ羽根、Ｙ羽根）が存在し、  Ｙ羽根をＸ羽根に対して相対的に浮かせておいてＸ羽根がＹ羽根の下面に入るようにするための、Ｙ羽根面を支持する長い凸条が前記地板に形成されていることを特徴とする。
【００２０】
本発明によれば、重ね合わされる羽根部材同士の干渉を防ぎ、羽根部材の滑らかな開閉動作を実現できる光路開閉装置を備えた撮像装置を提供できる。
【発明の効果】
【００２１】
以上の説明から明らかなように、本発明によれば、組み合わせ羽根を構成する複数の羽根部材の、閉動作中に重なり合う一対の羽根部材において、一方の羽根部材が他方の羽根部材の下面に入るようにするための、Ｙ羽根面を支持する長い凸条を地板に設けたので、羽根部材を傾いたりねじれたりせずに保持できる。このため、閉動作中の羽根部材同士の干渉を防ぎ、羽根部材の滑らかな開閉動作を実現できる光路開閉装置、及び、そのような光路開閉装置を備えた撮影装置を提供できる。
【発明を実施するための形態】
【００２２】
以下、本発明の実施の形態について、図面を参照しながら詳細に説明する。
まず、本発明の実施の形態に係る光路開閉装置を説明する。
図１は、本発明の実施の形態に係る光路開閉装置を示す分解斜視図である。
図２は、図１の光路開閉装置の全部の羽根部材の動きを説明するための正面図であり、図２（Ａ）は全開時、図２（Ｂ）は全閉時を示す。
図３は、風車の形状を示す図であり、図３（Ａ）は正面図、図３（Ｂ）は図３（Ａ）のＣ−Ｃ断面図、図３（Ｃ）は裏面図である。
図４は、地板Ａの形状を示す図であり、図４（Ａ）は正面図、図４（Ｂ）は図４（Ａ）のＡ−Ａ断面図、図４（Ｃ）は裏面図である。
図５は、地板Ｂの形状を示す図であり、図５（Ａ）は正面図、図５（Ｂ）は図５（Ａ）のＢ−Ｂ断面図、図５（Ｃ）は裏面図である。
図６は、図１の光路開閉装置の一部側面断面図である。
【００２３】
図１に示すように、光路開閉装置１は、光路を開閉する組み合わせ羽根１０と、光軸ＯＡを中心に回動する風車２０と、光路開口３１、５１が形成されて、組み合わせ羽根１０を挟持する一対の地板（地板Ａ３０（ベースともいう）及び地板Ｂ５０）と、から主に構成されている。
【００２４】
組み合わせ羽根１０は、この例では、６枚の同一形状の羽根部材１１からなる。各羽根部材１１は、略半円状の薄い部材である。羽根部材１１は、この例では、遮光能力のあるコーティングを施した樹脂フィルム（一例でポリエステルフィルム）で作製されている。羽根部材１１の内周部には、円弧状の絞り形成縁１３が形成されている。各羽根部材１１の絞り形成縁１３によって、光軸ＯＡを中心とする光路開口が形成される。また、各羽根部材１１の端部には、支点孔１５が開けられており、中央付近にはカム溝１７が形成されている。
【００２５】
風車２０は、図３に示すようにリング状の部材で、外周の一部から外方向に張り出す延出部２５が設けられている。風車２０の上面には、この例では６本の支点ピン２１が、等しい中心角度（この例では６０°）で外周に沿って植設されている。各支点ピン２１は、各羽根部材１１の支点孔１５に嵌合しており、各羽根部材１１は、各支点ピン２１の周囲を回動可能である。
各支点ピン２１の周囲には略Ｃ字状のリブ２３が形成されている。このようなリブ２３により、羽根部材１１の回動時の風車２０と羽根部材１１との摩擦抵抗を低下させて、羽根部材１１を滑らかに回動させることができる。
【００２６】
延出部２５の外縁にはラック２７が切られている。このラック２７はピニオン６３に噛み合っており、同ピニオン６３は減速機を介してモータ６０で回転駆動される（図１参照）。また、延出部２５には、遮光板２９が突出して形成されている。この遮光板２９は、フォトインタラプタ等の位置検出器を用いた位置検出用のものである。
【００２７】
地板Ａ３０には、図４に示すように、光路開口３１が形成されている。図６（Ａ）に示すように、光路開口３１の周囲には、各羽根部材１１が載置されて摺動する平らな摺動面３３が形成されている。摺動面３３の外周域には、各羽根部材１１のカム溝１７と係合するカムピン３５が、外周に沿って等しい中心角度（この例では６０°）で植設されている。なお、各カムピン３５の周囲は、摺動面３３よりやや低い段部となっている。この段部は、ピン周囲に荒れがあった場合、羽根部材の滑らかな動きを阻害する可能性があるので、それを避けるために形成されている。
【００２８】
さらに、地板Ａ３０の摺動面３３には、光軸を中心とする円弧状の長い凸条３７が形成されている。一例として、凸条３７の中心角は約１００°であり、凸条３７の長さは、隣り合う３枚の羽根部材１１が乗ることができる長さとなっている。この凸条３７の作用については後述する。
【００２９】
摺動面３３の外側には、風車２０が載置される凹部３９が形成されている。凹部３９の、風車延出部２５の回動範囲に相当する部分には、上述の遮光板２９が通る溝４１が形成されている。さらに、凹部３７内の風車延出部回動範囲の両端には、全開時と全閉時に風車２０の延出部２５が当接するストッパ４３、４５が形成されている。
【００３０】
地板Ｂ５０は、図５に示すように、地板Ａ３０とほぼ同じ形状であり、光路開口５１が形成されている。地板Ｂ５０の地板Ａ３０側の面（裏面）には、図５（Ｃ）に示すように、光路開口５１の周囲に、光軸を中心とする円弧状の長い凸条５３が形成されている。一例として、凸条５３の中心角は約１００°であり、凸条５３の長さは、地板Ａ３０に形成された凸条３７とほぼ同じ長さで、隣り合う３枚の羽根部材１１が乗ることができる長さとなっている。地板Ｂ５０の凸条５３と地板Ａ３０の凸条３７は、光軸に対して対称に配置されている。この凸条５３の作用については後述する。
【００３１】
また、図５（Ｃ）に示すように、地板Ｂの裏面には、地板Ｂ５０が地板Ａ３０に重ねられたときに、地板Ａ３０に植設されたカムピン３５が入り込む穴５５と、風車２０に植設された支点ピン２１が入り込んで風車２０の回動とともに移動するための溝５７が形成されている。
【００３２】
地板Ｂ５０は、地板Ａ３０に風車２０及び組み合わせ羽根１０が組み込まれた後、地板Ａ３０に被せられて、各羽根部材１１の重なり方向の距離を制限するとともに、羽根部材１１及び風車２０の地板Ａからの脱落を防止する。
【００３３】
次に、図２と図６を参照して、光路開閉装置における羽根部材の配置について説明する。
図２（Ａ）に示す絞り全開時においては、全ての羽根部材１１の絞り形成縁１３は地板Ａ３０の光路開口３１のやや外側に位置して、光路開口３１が全開となっている。
ここで、各羽根部材１１においては、１番目の羽根部材１１−１から、羽根部材の旋回方向（図の反時計方向）に向って３番目の羽根部材１１−３までは、地板３０の摺動面上に形成された凸条３７に乗っている。これにより、図６に示すように、凸条３７に乗った羽根部材１１Ｙは、摺動面３３に対して浮いて保持されている。このため、摺動面３３上に載置された羽根部材１１Ｘは、羽根部材１１Ｙと摺動面３３との間に入り込みやすい。
【００３４】
そして、図２（Ａ）に示すように、各羽根部材１１は、１番目の羽根部材１１−１から、旋回方向前方の隣の羽根部材の上面に順に重なるように配置されている。つまり、１番目の羽根部材１１−１は、旋回方向前方の羽根部材（２番目の羽根部材）１１−２の上面に重なっており、この２番目の羽根部材１１−２は、その旋回方向前方の羽根部材（３番目の羽根部材）１１−３の上面に重なっている。ただし、６番目の羽根部材１１−６は、１番目の羽根部材１１−１の下面に重なっている。つまり、側面から見ると１番目の羽根部材１１−１から６番目の羽根部材１１−６が上から順に重なっている。なお、ここで“上面”といっているのは、図２（Ａ）、（Ｂ）を見ている側を“上”と呼んでいるものであり、実際の重力方向の上下とは関係ない。
【００３５】
次に、図２、図７、図８を参照して開閉動作について説明する。
図７は、光路開閉装置の対向する１対（２枚）の羽根部材の動きを説明するための正面図であり、図７（Ａ）は光路開口開時、図７（Ｃ）は光路開閉動作中、図７（Ｃ）は光路開口閉時を示す。
図８は、光路開閉装置の対向する２対（４枚）の羽根部材の動きを説明するための正面図であり、図８（Ａ）は光路開口開時、図８（Ｂ）は光路開閉動作中、図８（Ｃ）は図８（Ｂ）の羽根部材のみを示す。
【００３６】
図２（Ａ）に示すように、全開時においては、風車２０の延出部２５は図の右側のストッパ４５に当接し、ラック２７の左端にピニオン６３が噛み合っている。図２（Ａ）に矢印で示すように、モータが回転してピニオン６３が時計方向に回転すると、ラック２７は図の左方向に移動し、風車２０は光軸を中心として反時計方向に回転し始める。
【００３７】
風車２０の回転とともに、各支点ピン２１に回動可能に支持されている羽根部材１１も、反時計方向に旋回する。このとき、羽根部材旋回方向（反時計方向）において下流に位置するカム溝１７の縁が、地板Ａ３０に植設されているカムピン３５に押され、カム溝１７がカムピン３５に沿って進み出す。すると、羽根部材１１は支点ピン２１を中心として図の反時計方向に回動し始める。そして、羽根部材１１がさらに旋回すると、カムピン３５はカム溝１７内を相対的に図の右方向に移動するとともに、羽根部材１１のカム溝１７の縁がカムピン３５に押され続けながら、羽根部材１１が図の反時計方向に回動し続ける。これにより、各羽根部材１１が絞り形成縁１３から地板Ａ３０の光路開口３１内を塞ぐように侵入する。
【００３８】
ここで、図７を参照して、光軸を挟んで対向する一対の羽根部材１１−３、１１−６について説明する。この例では、一方の羽根部材１１−３は地板３０の摺動面３３に形成された凸条３７に乗って、摺動面３３から浮いて支持されており、他方の羽根部材１１−６は摺動面３３上に支持されている。このとき、羽根部材１１−３は、円弧状の長い凸条３７に乗っているため、あまり傾いたりねじれずに摺動面３３に対してほぼ平行に浮いている。風車２０が回転して羽根部材１１が閉方向に回転し始めると、図７（Ｂ）に示すように、羽根部材１１−６は、羽根部材１１−３と摺動面３３との間のスキマ（羽根部材１１−３の下）に入り込んでくる。
【００３９】
図８に示す、２組の対向する一対の羽根部材１１−２と１１−５、１１−３と１１−６の場合も、各対の一方の羽根部材１１−２、１１−３は凸条３７に乗っており、他方の羽根部材１１−５、１１−６は摺動面３３上に乗っている。さらに、各羽根部材は、旋回方向前方の羽根部材の上面に重なるように配置されている。風車２０が回転して羽根部材１１が閉方向に回転し始めると、図８（Ｂ）や図８（Ｃ）に示すように、羽根部材１１−６は、羽根部材１１−３と摺動面３３との間のスキマに、羽根部材１１−５は羽根部材１１−２と摺動面３３との間のスキマに入り込んでくる。このときも、凸条３７に乗った一方の羽根部材１１−２、１１−３は、他方の羽根部材１１−５、１１−６よりも上方に位置しているので、羽根部材１１−５、１１−６は、羽根部材１１−２、１１−３の下面に入り込む。したがって、入り込むべき羽根部材が他方の羽根部材の上面に乗り上げるようなことがなく、各羽根部材の上下方向の位置関係は保たれる。
【００４０】
そして、この例では、風車２０が約２５°回転し、図２（Ｂ）に示すように、延出部２５が左側のストッパ４３に当接してラック２７の右端がピニオン６３に達するような位置にくると、羽根部材１１は光路開口開位置から閉位置へ移動し、開口３１が閉じられる。このとき、各羽根部材１１は、羽根部材１１−１から羽根部材１１−６が上から下へ重なっている。
【００４１】
閉動作中、図７（Ｂ）や（Ｃ）に示すように、羽根部材１１−３は、その幅の１／２程度が凸条３７に支持されて、開限から閉限まで常に摺動面３３に対してほぼ平行に浮いているため、羽根部材１１−６は羽根部材１１−３の下面に確実に滑らかに潜り込む。なお、羽根部材１１−６が閉位置まで回動しても凸条３７に接することはない。
【００４２】
以上説明したように、各羽根部材１１は各回動面が側面において交差しないように閉動作する。このため、羽根部材は互いに干渉されずに閉動作し、羽根部材の先端が対向する羽根部材の下面に潜り込むような動作不良を起こすことがない。
【００４３】
なお、光路を開く際は、モータ６０を逆回転させて、風車２０を図の時計方向に回動させる。
【００４４】
一方、光路開閉装置１の地板Ｂ５０が重力方向下に向けられた場合、各羽根部材１１の姿勢が逆転する。しかし、地板Ｂにも、地板Ａ３０の凸条３７と同じ作用をする凸条５３が形成されている。そして、この凸条５３は、地板Ａ３０の凸条３７と光軸に対して対称に配置されているため、この場合は、図２（Ａ）において、羽根部材１１−６から１１−４が、地板Ｂの凸条５３（図５参照）に乗り上げることになる。そして、上記の説明と同様に、各羽根部材１１が支持され、開閉動作を滑らかに行うことができる。
【００４５】
次に、本発明の実施の形態に係る撮像装置を説明する。
図１１は、撮像装置の基本構成を説明するための図である。
図１２は、本発明の実施の形態に係る撮像装置の構成を示す断面図である。
この例ではビデオカメラについて説明するが、本発明は、ビデオカメラに限られることはなく、スチルカメラの他、動画撮影又は静止画撮影の機能を有する各種撮像装置に適用することができる。
【００４６】
まず、図１１を参照して撮像装置の基本構成を説明する。
撮像装置３００は、外筐として設けられたレンズ鏡筒３０１を有する。このレンズ鏡筒３０１には、レンズ又はレンズ群（簡略化のため図には単レンズとして示す）、固体撮像素子等の撮像手段３２０、及び、アイリスもしくはシャッター、またはその両方の機能を兼用する光路開閉装置１が設けられている。
被写体Ｏからレンズ又はレンズ群３１０を通った光は、光路開閉装置１の羽根部材１０で形成される開口ＡＰを通して、撮像手段３２０に入射される。
【００４７】
図１２を参照して、具体的な構成例について説明する。
レンズ鏡筒３０１は、ガラス入りポリカーボネート等の樹脂で作成される。レンズ鏡筒３０１内には、被写体側（図の左側）から順に、対物レンズ３１１、変倍レンズ３１２、レンズ３１３、光路開閉装置１、フォーカスレンズ３１４、固体撮像素子３２０が配置されている。光路開閉装置１は、図１などで説明したものを使用できる。
【００４８】
変倍レンズ３１２はホルダ３１６に保持されており、ホルダ３１６は光軸方向に平行な２本のガイドバー３０３に摺動自在に支持されている。ホルダ３０３は駆動部３０４で駆動されて、同ホルダ３１６に保持されている変倍レンズ３１２が光軸方向に移動する。
【００４９】
フォーカスレンズ３１４はホルダ３１７に保持されており、ホルダ３１７は光軸方向に平行な２本のガイドバー３０７に摺動自在に支持されている。ホルダ３１７は駆動部３０８で駆動されて、同ホルダ３１７に保持されているフォーカスレンズ３１４が光軸方向に移動する。
【００５０】
固体撮像装置３２０によって得られる画像出力は画像処理部３２１に送られて所定の処理が行われる。画像処理部３２１は、制御等に必要な情報を演算処理部３２３に送ったり、撮影画像をビューファインダーやモニター等に送って表示させたり、あるいは使用者の操作指示に従って画像情報等を記録媒体に記録させる。なお、マイクロコンピュータ等を用いた演算処理部３２３は、制御部３２５に制御指令を送り、制御部３２５から光路開閉装置１のモータ６０（図１参照）、変倍レンズ及びフォーカスレンズ駆動部３０４、３０８等に制御信号を送って各部が制御される。
【図面の簡単な説明】
【００５１】
【図１】本発明の実施の形態に係る光路開閉装置を示す分解斜視図である。
【図２】図１の光路開閉装置の全部の羽根部材の動きを説明するための正面図であり、図２（Ａ）は全開時、図２（Ｂ）は全閉時を示す。
【図３】図１の光路開閉装置の１枚の羽根部材の動きを説明するための正面図であり、図３（Ａ）は全開時、図３（Ｂ）は全閉時を示す。
【図４】各々の羽根部材の形状を示す平面図である。
【図５】風車の形状を示す図であり、図５（Ａ）は正面図、図５（Ｂ）は側面断面図である。
【図６】地板Ａの形状を示す図であり、図６（Ａ）は正面図、図６（Ｂ）は側面断面図である。
【図７】地板Ｂの形状を示す図であり、図７（Ａ）は正面図、図７（Ｂ）は側面断面図である。
【図８】従来の光路開閉装置の構成の一例を示す分解斜視図である。
【図９】図８の光路開閉装置の全部の羽根部材の動きを説明するための正面図であり、図９（Ａ）は光路開口開時、図９（Ｂ）は光路開口閉時を示す。
【図１０】図８の光路開閉装置の１枚の羽根部材の動きを説明するための正面図であり、図１０（Ａ）は光路開口開時、図１０（Ｂ）は光路開口閉時を示す。  。
【図１１】撮像装置の基本構成を説明するための図である。
【図１２】本発明の実施の形態に係る撮像装置の構成を示す断面図である。
【符号の説明】
【００５２】
１  光路開閉装置
１０  組み合わせ羽根                  １１  羽根部材
１３  絞り形成縁                      １５  支点孔
１７  カム溝                          ２０  風車
２１  支点ピン                        ２３  リブ
２５  延出部                          ２７  ラック
２９  遮光板                          ３０  地板Ａ
３１  光路開口                        ３３  摺動面
３５  カムピン                        ３７  凸条
３９  凹部                            ４１  ガイド溝
４３、４５  ストッパ                  ５０  地板Ｂ
５１  光路開口                        ５３  凸条
５５  穴                              ５７  溝
３００  撮像装置                      ３０１  レンズ鏡筒
３０３、３１７  ガイドバー            ３０４、３０８  駆動部
３１０  レンズ群                      ３１１  対物レンズ
３１２  変倍レンズ                    ３１３  レンズ
３１４  フォーカスレンズ              ３１６、３１７  ホルダ
３２０  固体撮像素子                  ３２１  画像処理部
３２３  演算処理部                    ３２５  制御部
【図１】
2007192860.tif 000003
【図２】
2007192860.tif 000004
【図３】
2007192860.tif 000005
【図４】
2007192860.tif 000006
【図５】
2007192860.tif 000007
【図６】
2007192860.tif 000008
【図７】
2007192860.tif 000009
【図８】
2007192860.tif 000010
【図９】
2007192860.tif 000011
【図１０】
2007192860.tif 000012
【図１１】
2007192860.tif 000013
【図１２】
2007192860.tif 000014